(57)【要約】【課題】書き込み画素数や密度から現像バイアス値を変えて最適なプロセス条件にし、地肌汚れなどの不具合を低減させて画像品質を向上させることができる画像形成装置を提供する。【解決手段】画像担持体上の画素数をカウントする画素数計測手段を有する画像形成装置において、前記画素数計測手段によりカウントされた画素カウント値により、通紙時の現像バイアス値を変更する構成となっている。【選択図】      図５
2004252113.tif 000002
【特許請求の範囲】
【請求項１】
帯電された画像担持体上に静電潜像を形成し、その静電潜像を現像し用紙に転写して画像を形成する画像形成装置において、
前記画像担持体上の画素数をカウントする画素数計測手段を有し、前記画素数計測手段によりカウントされた画素カウント値により、通紙時の現像バイアス値を変更することを特徴とする画像形成装置。
【請求項２】
請求項１の画像形成装置において、前記画素数計測手段によりカウントされた画素カウント値から、用紙あたりの画素数の密度を算出し、その密度により、通紙時の現像バイアス値を変更することを特徴とする画像形成装置。
【請求項３】
請求項２の画像形成装置において、特に用紙の先端領域の画素数の密度を算出し、その密度により、通紙時の現像バイアス値を変更することを特徴とする画像形成装置。
【請求項４】
帯電された画像担持体上に静電潜像を形成し、その静電潜像を現像し用紙に転写して画像を形成する画像形成装置において、
前記画像担持体上の画素数をカウントする画素数計測手段を有し、前記画素数計測手段によりカウントされた画素カウント値により、通紙時の帯電電圧値を変更することを特徴とする画像形成装置。
【請求項５】
請求項４の画像形成装置において、前記画素数計測手段によりカウントされた画素カウント値から用紙あたりの画素数の密度を算出し、その密度により通紙時の帯電電圧値を変更することを特徴とする画像形成装置。
【請求項６】
請求項５の画像形成装置において、特に用紙の先端領域の画素数の密度を算出し、その密度により通紙時の帯電電圧値を変更することを特徴とする画像形成装置。
【発明の詳細な説明】
【０００１】
【発明の属する技術分野】
この発明は、画像担持体上の画素数をカウントする画素数計測手段を有する画像形成装置に関し、特に、書き込み画素数によって現像バイアス値を変更してプロセス条件の最適化を図ることにより、地肌汚れなどの不具合を解消し画像品質を向上させることができる画像形成装置に関するものである。
【０００２】
【従来の技術】
近年、画像形成装置が普及した事により、様々な環境下で画像形成装置が使用される事になったが、環境の条件により、画像形成処理のプロセス条件なども最適化する必要が出てきた。現在、温度や湿度などによりプロセス条件を最適化するものが多く提案されている。
なお、先行技術としては、特開平１１−７３０７９号公報（スクリューポンプの長寿命化することができ、しかもトナー劣化や現像手段でのトナー飛散が生じにくい画像形成装置を提供するため、トナー移送装置２０のスクリューポンプ３０のトナー移送方向上流側に回収トナーを溜めるトナー溜り部２１を設け、そのトナー溜り部２１の回収トナーが所定量に達したとき、トナー移送装置２０を作動する）、特開２００１−２３５９１１公報（像担持体の表面に光を照射する発光手段と、この発光手段が照射した光の反射光を受光する受光手段と、この受光手段の出力から前記像担持体上のトナー付着量を検出する手段を備えたトナー付着量検出手段において、トナーの劣化に起因するトナー付着量の検出誤差による画質の低下を防止するため、トナー付着量検出手段１０２によりトナーの劣化状態に応じてトナー付着量を補正する）等が挙げられる。
【特許文献１】特開平１１−７３０７９号公報
【特許文献２】特開２００１−２３５９１１公報
【０００３】
【発明が解決しようとする課題】
上記のような不具合を解消するため、従来技術では、温度や湿度、用紙種類などにより通紙時のプロセス条件（現像バイアス値）を変えたりしていたが、実際は、画像データのドット数によっても、地肌汚れが発生しやすい場合とそうでない場合があった。しかしながら、従来技術では、画像データのドット数によってプロセス条件を変える提案は無かった。
本発明の目的は、書き込み画素数や密度から現像バイアス値を変えて最適なプロセス条件にし、地肌汚れなどの不具合を低減させて画像品質を向上させることができる画像形成装置を提供することである。
本発明の他の目的は、書き込み画素数や密度から帯電電圧値を変えて最適なプロセス条件にし、地肌汚れなどの不具合を低減させて画像品質を向上させることができる画像形成装置を提供することである。
【０００４】
【課題を解決するための手段】
上述の目的を達成するために、請求項１記載の発明は、帯電された画像担持体上に静電潜像を形成し、その静電潜像を現像し用紙に転写して画像を形成する画像形成装置において、画像担持体上の画素数をカウントする画素数計測手段を有し、前記画素数計測手段によりカウントされた画素カウント値により、通紙時の現像バイアス値を変更することを特徴とする。
したがって、書き込み画素数によって現像バイアス値を変更してプロセス条件の最適化を図ることにより、地肌汚れなどの不具合を解消し画像品質を向上させることができる。
また、請求項２記載の発明は、請求項１の画像形成装置において、前記画素数計測手段によりカウントされた画素カウント値から、用紙あたりの画素数の密度を算出し、その密度により、通紙時の現像バイアス値を変更することを特徴とする。
したがって、分割した領域ごとの画素数の密度をみて、現像バイアス値を変更してプロセス条件の最適化を図ることにより、地肌汚れなどの不具合を解消し画像品質を向上させる事ができる。
また、請求項３記載の発明は、請求項２の画像形成装置において、特に用紙の先端領域の画素数の密度を算出し、その密度により、通紙時の現像バイアス値を変更することを特徴とする。
したがって、用紙先端領域の画素数の密度をみて、現像バイアス値を変更して用紙先端の地肌汚れを低減し、画像品質を向上することができる。
また、請求項４記載の発明は、帯電された画像担持体上に静電潜像を形成し、その静電潜像を現像し用紙に転写して画像を形成する画像形成装置において、画像担持体上の画素数をカウントする画素数計測手段を有し、前記画素数計測手段によりカウントされた画素カウント値により、通紙時の帯電電圧値を変更することを特徴とする。
したがって、書き込み画素数によって帯電電圧値を変更して、プロセス条件の最適化を図ることにより、地肌汚れなどの不具合を解消し、画像品質を向上させる事ができる。
また、請求項５記載の発明は、請求項４の画像形成装置において、前記画素数計測手段によりカウントされた画素カウント値から用紙あたりの画素数の密度を算出し、その密度により通紙時の帯電電圧値を変更することを特徴とする。
したがって、分割した領域ごとの画素数の密度をみて、帯電電圧値を変更してプロセス条件の最適化を図ることにより、地肌汚れなどの不具合を解消し、画像品質を向上させる事ができる。
また、請求項６記載の発明は、請求項５の画像形成装置において、特に用紙の先端領域の画素数の密度を算出し、その密度により通紙時の帯電電圧値を変更することを特徴とする。
したがって、用紙先端領域の画素数の密度をみて、帯電電圧値を変更して用紙先端の地肌汚れを低減し、画像品質を向上することができる。
【０００５】
【発明の実施の形態】
以下に添付の図を参照してこの発明の実施形態を詳細に説明する。
図１は、本発明による画像形成装置（プリンタ）に関する一実施形態のシステム構成図である。
図１に示すように、このプリンタシステムは、レーザプリンタ本体１に、データを送受信するホストコンピュータ１６が接続された構成となっており、上記レーザプリンタ本体１は、画像処理をおこなうコントローラ２と、画像形成をおこなうエンジン３と、エンジンを制御するエンジン制御ボード４と、操作入力を行う操作パネル５とがエンジンボードの入出力インターフェイス６を介して接続された構成となっている。
そして、エンジン制御ボード４には、プログラムＲＯＭのプログラムおよび操作パネル５からのモード指示およびコントローラ２からのコマンドによってエンジン全体を制御するＣＰＵ７と、ＣＰＵ７のワークメモリである入力データのインプットバッファ（ＲＡＭ）８と、エンジン３の制御プログラムが格納されているメモリ（ＲＯＭ）９と、エンジンのエラー履歴や操作パネルからのモード指示の内容などを記憶しておく不揮発性メモリ（ＥＥＰＲＯＭ）１０と、エンジン制御のモードを設定するＤＩＰ−ＳＷ１１とが設けられている。
また、上記エンジン３には、ＬＤやポリゴンモータ等を含むと共に画素数をカウントする画素数計測手段を有するレーザ書き込みユニット１２と、定着系や現像系や駆動系のエンジンシーケンスを司るシーケンス機器群１３と、ペーパパス上やシーケンス状態をチェックするセンサ類１４とが設けられている。
【０００６】
図２は、図１に示したレーザプリンタ本体１の内部構成概略図である。
図２に示すように、レーザプリンタ本体１の内には、ほぼ中央にベルト上の感光体２１が設けられ、その感光体２１のまわりには、図中矢印で示す駆動方向に順に、帯電チャージャ２２、現像ユニット２３、転写チャージャ２４、クリーニング器２５が設けられ、その現像ユニット２３の上側には、画素数計測手段を有する書き込みユニット１２が配置され、レーザプリンタ本体１の下側には、シートを収納した給紙カセット２７が着脱自在に取り付けられている。そして、給紙コロ２８を回転させて給紙カセット２７内からシートを図中矢印方向に送り出し、タイミングをとってレジストローラ対２９で感光体２１の下側に搬送する。
上記感光体２１は、矢印で示す時計方向に駆動し、その際、帯電チャージャ２２によって表面が一様に帯電され、その後、書き込みユニット１２からのレーザ光を照射して感光体ユニット２１上に静電潜像を形成する。この潜像は、現像ユニット２３位置を通るときトナーによって可視像化され、この可視像は、感光体２１の下側に搬送されてきたシートの上面に転写チャージャ２４により転写される。
そして、画像転写後のシートを定着器３０に搬送し、その定着器３０で転写画像を定着し、定着器３０を出たシートは、ＦＤ／ＦＵ切替えソレノイド爪３４により、フェイスダウン搬送路３１内を搬送し、フェイスダウン排紙ローラ対３２によってフェイスダウン排紙トレイ３３上へと記録面を下にしたフェイスダウンで排出されたり、そのままフェイスアップ排紙トレイ３５上へと記録面を上にしたフェイスアップで排出される。他方、画像転写後の感光体２１は、クリーニング器２５で残留トナーが除去される。
なお、図３は、図１に示したレーザプリンタ本体１における上記帯電、現像、転写などの電圧値を含めたプロセスのタイミングチャートの一例を示す図である。
【０００７】
図４は、図２に示したコントローラ２の概略内部構成図である。
図４に示すように、コントローラ２は、プログラムＲＯＭ４１のプログラムや操作パネル５からのモード指示やホスト装置１６からのコマンドによってコントローラ全体を制御するＣＰＵ４３と、フォントデータやプログラムを外部から供給するＩＣカード４５と、操作パネル５からのモード指示の内容などを記憶しておく不揮発性記憶装置ＮＶＲＡＭ４７と、コントローラの制御プログラムが格納されているプログラムＲＯＭ４１と、フォントのパターンデータなどを記憶するフォントＲＯＭ４９と、ＣＰＵ４３のワークメモリや入力データのインプットバッファーやプリントデータのページバッファーやダウンロードフォント用のメモリ等に使用するＲＡＭ５１と、エンジン３とコマンド及びステータスや印字データの通信を行なうエンジンインターフェース５３と、操作パネル５とコマンド及びステータスの通信を行なうパネルインターフェース５５と、ホスト装置１６と通信を行なうホストインターフェース（セントロＩ／ＦやＲＳ２３２Ｃ）５７と、フォントデータやプログラムや印字データなどの様々のデータを記憶しておくディスク装置５９と通信を行なう為のディスクインターフェース６１とを有している。
【０００８】
次に、図５の動作フローチャートを参照して、本発明の第１実施形態について説明する。図５は、本発明の第１実施形態の動作フローチャートである。
まず、図５のステップ１０１において、ホスト１６から印刷要求が来ると、ステップ１０３において、プリンターコントローラ２を介してエンジン３に画像データが送られ、ステップ１０５において、エンジン３はコントローラ２から送られた画像データに対して画像処理を行い、その後、感光体２１にＬＤ点灯を行い、画像を作成するわけであるが、ここで、ＣＰＵ４３は書き込み画素数をカウントする画素数計測手段を有する書き込みユニット１２の画素数情報を得（ステップ１０７）、その画素数情報により、通紙時の現像バイアス値の目標値を設定する。すなわち、ステップ１０９において、上記画素数情報がある所定の画素数より多か否かが判定され、ある所定の画素数より多ければ、ステップ１１１において、トナーが現像しやすい条件として現像バイアス値を下げて、帯電電圧値との電位差を小さくする。
また、上記ステップ１０９において、ある所定の画素数より少なければ、ステップ１１３において、トナーが現像しにくい条件として現像バイアス値を上げて、帯電電圧値との電位差を大きくする。
その後、ステップ１１５において、給紙を開始し、プリント動作にはいる。すなわち、上記図２で説明したプリントシーケンスに従ってプリント処理が行われる。
以上のように、この第１実施形態によれば、書き込み画素数によって現像バイアス値を変更してプロセス条件を最適化を図っているので、地肌汚れなどの不具合を解消し、画像品質の向上をすることができる。
【０００９】
次に、図６の動作フローチャートを参照して、本発明の第２実施形態について説明する。図６は、本発明の第２実施形態の動作フローチャートである。
この実施形態では、用紙全体の画素数だけをみても、用紙の場所（部分）によってドット数のばらつきもあるため、分割した領域ごとの画素数の密度をみて、例えば平均値や密度の高い領域に合わせて、通紙時の現像バイアス値を変更することにより、プロセス条件の最適化を図るようにしたものである。
まず、図６のステップ２０１において、ホスト１６から印刷要求が来ると、ステップ２０３において、プリンターコントローラ２を介してエンジン３に画像データが送られ、ステップ２０５において、エンジン３はコントローラ２から送られた画像データに対して画像処理を行い、その後、感光体２１にＬＤ点灯を行い、画像を作成するわけであるが、ここで、ＣＰＵ４３は書き込み画素数をカウントする画素数計測手段を有する書き込みユニット１２の画素数情報より用紙の幾つかの部分領域毎の画素数密度を算出し（ステップ２０７）、その画素数密度により、通紙時の現像バイアス値の目標値を設定する。すなわち、ステップ２０９において、上記画素数密度がある所定の画素数密度より多か否かが判定され、ある所定の画素数密度より多ければ、ステップ２１１において、トナーが現像しやすい条件として現像バイアス値を下げて、帯電電圧値との電位差を小さくする。また、上記ステップ２０９において、ある所定の画素数密度より少なければ、ステップ２１３において、トナーが現像しにくい条件として現像バイアス値を上げて、帯電電圧値との電位差を大きくする。
その後、ステップ２１５において、給紙を開始し、プリント動作にはいる。すなわち、上記図２で説明したプリントシーケンスに従ってプリント処理が行われる。
以上のように、この第２実施形態によれば、分割した領域ごとの画素数の密度をみて、現像バイアス値を変更してプロセス条件の最適化を図ることにより、地肌汚れなどの不具合を解消し画像品質の向上をすることができる。
【００１０】
次に、図７の動作フローチャートを参照して、本発明の第３実施形態について説明する。図７は、本発明の第３実施形態の動作フローチャートである。
この実施形態では、特に、画像形成の初め、すなわち感光体から用紙へと状態が変化するところである用紙先端に地肌汚れが発生する場合が多いので、用紙先端領域の画素数の密度をみて、通紙時の現像バイアス値を変更することにより、プロセス条件の最適化を図るようにしたものである。
まず、図７のステップ３０１において、ホスト１６から印刷要求が来ると、ステップ３０３において、プリンターコントローラ２を介してエンジン３に画像データが送られ、ステップ３０５において、エンジン３はコントローラ２から送られた画像データに対して画像処理を行い、その後、感光体２１にＬＤ点灯を行い、画像を作成するわけであるが、ここで、ＣＰＵ４３は書き込み画素数をカウントする画素数計測手段を有する書き込みユニット１２の画素数情報より用紙先端の画素数密度を算出し（ステップ３０７）、その画素数密度により、通紙時の現像バイアス値の目標値を設定する。すなわち、ステップ３０９において、上記画素数密度がある所定の画素数密度より多か否かが判定され、ある所定の画素数密度より多ければ、ステップ３１１において、トナーが現像しやすい条件として現像バイアス値を下げて、帯電電圧値との電位差を小さくする。
また、上記ステップ３０９において、ある所定の画素数密度より少なければ、ステップ３１３において、トナーが現像しにくい条件として現像バイアス値を上げて、帯電電圧値との電位差を大きくする。
その後、ステップ３１５において、給紙を開始し、プリント動作にはいる。すなわち、上記図２で説明したプリントシーケンスに従ってプリント処理が行われる。
以上のように、この第３実施形態によれば、用紙先端領域の画素数の密度をみて、現像バイアス値を変更してプロセス条件の最適化を図ることにより、地肌汚れなどの不具合を解消し画像品質の向上をすることができる。
【００１１】
次に、図８の動作フローチャートを参照して、本発明の第４実施形態について説明する。図８は、本発明の第４実施形態の動作フローチャートである。
まず、図８のステップ４０１において、ホスト１６から印刷要求が来ると、ステップ４０３において、プリンターコントローラ２を介してエンジン３に画像データが送られ、ステップ４０５において、エンジン３はコントローラ２から送られた画像データに対して画像処理を行い、その後、感光体２１にＬＤ点灯を行い、画像を作成するわけであるが、ここで、ＣＰＵ４３は書き込み画素数をカウントする画素数計測手段を有する書き込みユニット１２の画素数情報を得（ステップ４０７）、その画素数情報により、通紙時の帯電電圧値の目標値を設定する。すなわち、ステップ４０９において、上記画素数情報がある所定の画素数より多か否かが判定され、ある所定の画素数より多ければ、ステップ４１１において、トナーが現像しやすい条件として帯電電圧値を下げて、現像バイアス値との電位差を小さくする。
また、上記ステップ４０９において、ある所定の画素数より少なければ、ステップ４１３において、トナーが現像しにくい条件として帯電電圧値を上げて、現像バイアス値との電位差を大きくする。
その後、ステップ４１５において、給紙を開始し、プリント動作にはいる。すなわち、上記図２で説明したプリントシーケンスに従ってプリント処理が行われる。
以上のように、この第４実施形態によれば、書き込み画素数によって帯電電圧値を変更してプロセス条件の最適化を図っているので、地肌汚れなどの不具合を解消し、画像品質の向上をすることができる。
【００１２】
次に、図９の動作フローチャートを参照して、本発明の第５実施形態について説明する。図９は、本発明の第５実施形態の動作フローチャートである。
この実施形態では、用紙全体の画素数だけをみても、用紙の場所（部分）によってドット数のばらつきもあるため、分割した領域ごとの画素数の密度をみて、例えば平均値や密度の高い領域に合わせて、通紙時の帯電電圧値を変更することにより、プロセス条件の最適化を図るようにしたものである。
まず、図９のステップ５０１において、ホスト１６から印刷要求が来ると、ステップ５０３において、プリンターコントローラ２を介してエンジン３に画像データが送られ、ステップ５０５において、エンジン３はコントローラ２から送られた画像データに対して画像処理を行い、その後、感光体２１にＬＤ点灯を行い、画像を作成するわけであるが、ここで、ＣＰＵ４３は書き込み画素数をカウントする画素数計測手段を有する書き込みユニット１２の画素数情報より用紙の幾つかの部分領域毎の画素数密度を算出し（ステップ５０７）、その画素数密度により、通紙時の帯電電圧値の目標値を設定する。すなわち、ステップ５０９において、上記画素数密度がある所定の画素数密度より多か否かが判定され、ある所定の画素数密度より多ければ、ステップ５１１において、トナーが現像しやすい条件として帯電電圧値を下げて、現像バイアス値との電位差を小さくする。
また、上記ステップ５０９において、ある所定の画素数密度より少なければ、ステップ５１３において、トナーが現像しにくい条件として帯電電圧値を上げて、現像バイアス値との電位差を大きくする。
その後、ステップ５１５において、給紙を開始し、プリント動作にはいる。すなわち、上記図２で説明したプリントシーケンスに従ってプリント処理が行われる。
以上のように、この第５実施形態によれば、分割した領域ごとの画素数の密度をみて、帯電電圧値を変更してプロセス条件の最適化を図ることにより、地肌汚れなどの不具合を解消し画像品質の向上をすることができる。
【００１３】
次に、図１０の動作フローチャートを参照して、本発明の第６実施形態について説明する。図１０は、本発明の第６実施形態の動作フローチャートである。
この実施形態では、特に、画像形成の初め、すなわち感光体から用紙へと状態が変化するところである用紙先端に地肌汚れが発生する場合が多いので、用紙先端領域の画素数の密度をみて、通紙時の帯電電圧値を変更することにより、プロセス条件の最適化を図るようにしたものである。
まず、図１０のステップ６０１において、ホスト１６から印刷要求が来ると、ステップ６０３において、プリンターコントローラ２を介してエンジン３に画像データが送られ、ステップ６０５において、エンジン３はコントローラ２から送られた画像データに対して画像処理を行い、その後、感光体２１にＬＤ点灯を行い、画像を作成するわけであるが、ここで、ＣＰＵ４３は書き込み画素数をカウントする画素数計測手段を有する書き込みユニット１２の画素数情報より用紙先端の画素数密度を算出し（ステップ６０７）、その画素数密度により、通紙時の帯電電圧値の目標値を設定する。すなわち、ステップ６０９において、上記画素数密度がある所定の画素数密度より多か否かが判定され、ある所定の画素数密度より多ければ、ステップ６１１において、トナーが現像しやすい条件として帯電電圧値を下げて、現像バイアス値との電位差を小さくする。
また、上記ステップ６０９において、ある所定の画素数密度より少なければ、ステップ６１３において、トナーが現像しにくい条件として帯電電圧値を上げて、現像バイアス値との電位差を大きくする。
その後、ステップ６１５において、給紙を開始し、プリント動作にはいる。すなわち、上記図２で説明したプリントシーケンスに従ってプリント処理が行われる。
以上のように、この第６実施形態によれば、用紙先端領域の画素数の密度をみて、帯電電圧値を変更してプロセス条件の最適化を図ることにより、地肌汚れなどの不具合を解消し画像品質の向上をすることができる。
【００１４】
【発明の効果】
以上の説明から理解されるように、本発明によれば、書き込み画素数によって現像バイアス値を変更してプロセス条件の最適化を図ることにより、地肌汚れなどの不具合を解消し画像品質を向上させることができる。
また、分割した領域ごとの画素数の密度をみて、現像バイアス値を変更してプロセス条件の最適化を図ることにより、地肌汚れなどの不具合を解消し画像品質を向上させる事ができる。
また、用紙先端領域の画素数の密度をみて、現像バイアス値を変更して用紙先端の地肌汚れを低減し、画像品質を向上することができる。
また、書き込み画素数によって帯電電圧値を変更して、プロセス条件の最適化を図ることにより、地肌汚れなどの不具合を解消し、画像品質を向上させる事ができる。
また、分割した領域ごとの画素数の密度をみて、帯電電圧値を変更してプロセス条件の最適化を図ることにより、地肌汚れなどの不具合を解消し、画像品質を向上させる事ができる。
また、用紙先端領域の画素数の密度をみて、帯電電圧値を変更して用紙先端の地肌汚れを低減し、画像品質を向上することができる。
【図面の簡単な説明】
【図１】本発明による画像形成装置（プリンタ）に関する一実施形態のシステム構成図である。
【図２】
図１に示したレーザプリンタ本体１の内部構成概略図である。
【図３】図１に示したレーザプリンタ本体１における上記帯電、現像、転写などの電圧値を含めたプロセスのタイミングチャートの一例を示す図である。
【図４】図２に示したコントローラ２の概略内部構成図である。
【図５】本発明の第１実施形態の動作フローチャートである。
【図６】本発明の第２実施形態の動作フローチャートである。
【図７】本発明の第３実施形態の動作フローチャートである。
【図８】本発明の第４実施形態の動作フローチャートである。
【図９】本発明の第５実施形態の動作フローチャートである。
【図１０】本発明の第６実施形態の動作フローチャートである。
【符号の説明】
１…レーザプリンタ本体、２…コントローラ、３…エンジン、４…エンジン制御ボード、５…操作パネル、６…入出力インターフェイス、７…ＣＰＵ、１１…ＳＷ、１２…ユニット、１３…シーケンス機器群、１４…センサ類、１６…ホストコンピュータ、２１…感光体、２２…帯電チャージャ、２３…現像ユニット、２４…転写チャージャ、２５…クリーニング器、２７…給紙カセット、２８…給紙コロ、２９…レジストローラ対、３０…スクリューポンプ、３０…定着器、３１…フェイスダウン搬送路、３２…フェイスダウン排紙ローラ対、３３…フェイスダウン排紙トレイ、３４…ソレノイド爪、３５…フェイスアップ排紙トレイ、４１…ＲＯＭ、４３…ＣＰＵ、４５…ＩＣカード、４７…ＮＶＲＡＭ、４９…ＲＯＭ、５１…ＲＡＭ、５３…エンジンインターフェース、５５…パネルインターフェース、５９…ディスク装置、６１…ディスクインターフェース
【図１】
2004252113.tif 000003
【図２】
2004252113.tif 000004
【図３】
2004252113.tif 000005
【図４】
2004252113.tif 000006
【図５】
2004252113.tif 000007
【図６】
2004252113.tif 000008
【図７】
2004252113.tif 000009
【図８】
2004252113.tif 000010
【図９】
2004252113.tif 000011
【図１０】
2004252113.tif 000012